(57)【要約】      （修正有）【課題】複数のアフィリエイトサーバからのアフィリエイト報酬を各アフィリエイターが容易に把握・比較・管理できるアフィリエイト管理装置を提供する。【解決手段】アフィリエイト管理装置は、アフィリエイト管理プログラムを基に、予め設定された時間サイクルで、登録された全てのＡＳＰサーバに対して順次、ログインを行う。そして、アフィリエイト管理装置は、インタフェースを介してアフィリエイト報酬データを受信し、それを基に、ユーザが登録した複数のＡＳＰの各々において当該ユーザが得た報酬に関する情報を示すＡＳＰ報酬一覧画面データを生成し、それに応じた画面をディスプレイに表示する。【選択図】図６
0003192591.tif 000002
【実用新案登録請求の範囲】
【請求項１】
アフィリエイトサービスを提供する複数のプロバイダの各々が管理する複数のアフィリエイトサーバに、予め登録されたユーザ情報を基に自動的にログインするためのログイン手段と、
前記ログイン手段でログインした前記複数のアフィリエイトサーバから、前記ユーザに関するアフィリエイト報酬データを受信する第１の受信手段と、
前記第１の受信手段で前記複数のアフィリエイトサーバから受信したアフィリエイト報酬データを一覧にして１画面で表示する報酬一覧表示手段と
を有するアフィリエイト管理装置。
【請求項２】
前記報酬一覧表示手段は、
前記第１の受信手順で複数のアフィリエイトサーバから受信した前記アフィリエイト報酬データから、予め各アフィリエイトサーバに対応する表示に用いるデータを取得し、当該取得したデータを基に、各アフィリエイトサーバに対応した報酬欄を含む報酬一覧画面を表示する処理を行う
請求項１に記載のアフィリエイト管理装置。
【請求項３】
アフィリエイターが管理する複数のサイトの各々のアクセス解析データを提供するアクセス解析サーバにアクセスをして、前記複数のサイトの各々のアクセス解析データを受信する第２の受信手段と、
前記第２の受信手順で受信した前記複数のサイトの各々のアクセス解析データを、一覧にして表示するアクセス解析一覧表示手段と
をさらに有する請求項１または請求項２に記載のアフィリエイト管理装置。
【考案の詳細な説明】
【技術分野】
【０００１】
本考案は、アフィリエイト報酬等を容易に管理できるアフィリエイト管理装置に関するものである。
【背景技術】
【０００２】
近年、Ｗｅｂサイトやメールマガジンなどが企業サイトへリンクを張り、閲覧者がそのリンクを経由して当該企業のサイトで会員登録したり商品を購入したりすると、リンク元サイトの主催者（アフィリエイター）にアフィリエイト報酬が支払われるアフィリエイトと呼ばれる、広告手法がある。
アリフィエイトは、売上に応じて媒体側への支払い額が決まるため、ポータルサイトへのバナー掲載のように成果とは無関係に広告費が決まる他の手段に比べ、極めて費用対効果が高い。
【考案の開示】
【考案が解決しようとする課題】
【０００３】
ところで、アフィリエイターは、複数の企業サイト（ＡＳＰ）に登録していることが多く、アフィリエイト報酬を見るには、各ＡＳＰのＩＤやパスワードを入力して、管理画面を見なければならず、手間がかかると共に、ＡＳＰ間での報酬の比較が難しいという問題がある。
また、アフィリエイターは、複数のサイトを保有・管理していることが多く、これらのサイトのアクセス状況を見るために、各サイト毎にアクセス状況を管理サーバにアクセスして問い合わせる必要があり、同様に、手間がかかると共に、サイト間でのアクセス状況の比較が難しいという問題がある。
【０００４】
本考案は、かかる事情に鑑みてなされたものであり、その目的は、複数のＡＳＰ（アフィリエイトサーバ）からのアフィリエイト報酬を各アフィリエイターが容易に把握・比較・管理できるアフィリエイト管理装置を提供することにある。
また、本考案は、アフィリエイターが管理する複数のサイトのアクセス状況を容易に把握・比較・管理できるアフィリエイト管理装置を提供することにある。
【課題を解決するための手段】
【０００５】
上述した従来技術の問題を解決し、上述した目的を達成するために、本考案のアフィリエイト管理装置は、アフィリエイトサービスを提供する複数のプロバイダの各々が管理する複数のアフィリエイトサーバに、予め登録されたユーザ情報を基に自動的にログインするためのログイン手段と、前記ログイン手段でログインした前記複数のアフィリエイトサーバから、前記ユーザに関するアフィリエイト報酬データを受信する第１の受信手段と、前記第１の受信手段で前記複数のアフィリエイトサーバから受信したアフィリエイト報酬データを一覧にして１画面で表示する報酬一覧表示手段とを有する。
【０００６】
好適には、本考案のアフィリエイト管理装置の前記報酬一覧表示手段は、前記第１の受信手順で複数のアフィリエイトサーバから受信した前記アフィリエイト報酬データから、予め各アフィリエイトサーバに対応する表示に用いるデータを取得し、当該取得したデータを基に、各アフィリエイトサーバに対応した報酬欄を含む報酬一覧画面を表示する処理を行う。
【０００７】
好適には、本考案のアフィリエイト管理装置は、アフィリエイターが管理する複数のサイトの各々のアクセス解析データを提供するアクセス解析サーバにアクセスをして、前記複数のサイトの各々のアクセス解析データを受信する第２の受信手段と、前記第２の受信手順で受信した前記複数のサイトの各々のアクセス解析データを、一覧にして表示するアクセス解析一覧表示手段とをさらに有する。
【考案の効果】
【０００８】
本考案によれば、複数のアフィリエイトサーバからのアフィリエイト報酬を各アフィリエイターが容易に把握・比較・管理できるアフィリエイト管理装置を提供することができる。
また、本考案によれば、アフィリエイターが管理する複数のサイトのアクセス状況を容易に把握・比較・管理できるアフィリエイト管理装置を提供することができる。
【考案を実施するための最良の形態】
【０００９】
以下、本考案の実施形態に係るアフィリエイト管理プログラムＰＲＧが利用されるシステムについて説明する。
図１は、本考案の実施形態に係るネットワークシステム１の全体構成図である。
図１に示すように、ネットワークシステム１では、インタネット等のネットワーク９を介して、ｎ台のＡＳＰサーバ４−１〜４−ｎ、プログラム提供サーバ６、複数のアフィリエイト管理装置１０が接続されている。ここで、ｎの数に任意である。なお、図１に示す例では、１台のアフィリエイト管理装置１０を例示して説明する。
【００１０】
ＡＳＰサーバ４−１〜４−ｎが本考案のアフィリエイトサーバの一例である。また、本実施形態のアフィリエイト管理プログラムＰＲＧが本考案のアフィリエイト管理プログラムの一例である。
【００１１】
ＡＳＰサーバ４−１〜４−ｎの各々は、アフィリエイトサービスを提供するプロバイダが管理するサーバである。
ＡＳＰサーバ４−１〜４−ｎは、登録された各アフィリエイターのサイトを介して販売等なされた商品について、そのアフィリエイターに支払う報酬額を示すアフィリエイト報酬データを逐次生成し、管理している。
【００１２】
ＡＳＰサーバ４−１〜４−ｎには、予めアフィリエイターからのユーザ登録により、各アフィリエイターのＩＤやパスワードを管理している。
ＡＳＰサーバ４−１〜４−ｎは、各ユーザのＩＤやパスワードを指定したログイン要求を受信すると、当該ログイン要求で指定されたＩＤおよびパスワードと、予め登録されたＩＤおよびパスワードとを照合して、その正当性を検証する。そして、ＡＳＰサーバ４−１〜４−ｎは、ユーザの正当性を確認すると、当該ＩＤに対応付けられたアフィリエイト報酬データを所定のメモリから取得して、ログイン要求元のアフィリエイト管理装置１０に送信する。
【００１３】
ここで、ＡＳＰサーバ４−１〜４−ｎの各々の間で、同じユーザであっても、登録されているＩＤおよびパスワードが異なると共に、アフィリエイト報酬データの形式も異なることがある。
【００１４】
図２は、図１に示すアフィリエイト管理装置１０の機能ブロック図である。
図２に示すように、アフィリエイト管理装置１０は、ログイン部１３、第１受信部１４、第２受信部１５、報酬一覧表示部１６及びアフィリエイト管理部１７を有する。
【００１５】
図３は、図１に示すアフィリエイト管理装置１０の構成図である。
図３に示すように、アフィリエイト管理装置１０は、例えば、インタフェース２１、ディスプレイ２３、操作部２５、ＨＤＤ２７、メモリ２９およびＣＰＵ３１を有し、これらがバス２０を介して接続されている。
図３に示す構成要素によって、図２に示す機能ブロックの機能が実現される。
【００１６】
インタフェース２１は、図１に示すネットワーク９を介して、ＡＳＰサーバ４−１〜４−ｎおよびプログラム提供サーバ６と通信を行うために用いられる。
ディスプレイ２３は、ＣＰＵ３１が実行するアフィリエイト管理プログラムＰＲＧが提供する様々な画面を表示する。当該画面については後述する。
【００１７】
操作部２５は、キーボードやマウス等の操作手段である。
ＨＤＤ２７は、ＣＰＵ３１の処理に用いられる様々なプログラムやデータを記憶する。
メモリ２９は、ＨＤＤ２７から読み出されたプログラム、ＣＰＵ３１の処理に用いられるデータを一時的に記憶する。
【００１８】
ＣＰＵ３１は、アフィリエイト管理プログラムＰＲＧを実行して、アフィリエイト管理装置１０によるアフィリエイト管理処理を統括的に制御する。
【００１９】
以下、アフィリエイト管理プログラムＰＲＧを基に提供される各種画面について説明する。
［ＡＳＰの登録画面］
ユーザは、アフィリエイト管理装置１０の操作部２５を操作してプログラム起動要求を入力する。これにより、ＣＰＵ３１はＨＤＤ２７等からアフィリエイト管理プログラムＰＲＧを読み出して実行（起動）する。
【００２０】
そして、ユーザが画面上で「新規追加」のアイコンを指定すると、ＣＰＵ３１は、図４に示すＡＳＰ登録画面をディスプレイ２３に表示する。
ユーザは、操作部２５を操作して、ＡＳＰ登録画面内に表示された「アフィリ管理のアカウント設定」のボックス５０内の各項目に、新規に登録するＡＳＰサーバへのログイン情報を（アフィリエイトの必須項目）を入力する。
なお、アフィリエイト管理プログラムＰＲＧがサポートしている複数のＡＳＰのＵＲＬ等の基本情報は予め登録されており、ボックス５０内の「プログラム」の項目において、ユーザがＡＳＰの名前を選択するだけで、基本情報の入力は不要である。
【００２１】
そして、ユーザは、ボックス５０内の「テスト」をクリックし、上記入力されたログイン情報を基に、新規登録するＡＳＰサーバにアクセスを行い、ログインに成功すると、新たなＡＳＰの登録が完了する。
これにより、ユーザが会員になっているＡＳＰに自動ログインを行うために必要な情報がアフィリエイト管理プログラムＰＲＧに設定される。
【００２２】
また、ユーザは、上記ＡＳＰの登録を終えた後に、図５に示す「アフィリ管理全般の設定」のボックス６０をディスプレイ２３に表示して、アフィリエイト管理全般の設定を行う。ここでは、自動更新、表示画面、タクストレイ通知のプロパティが設定可能である。
【００２３】
［ＡＳＰ報酬一覧画面］
ユーザは、画面上の「アフィリ管理」をクリックすることで、図６に示すＡＳＰ報酬一覧画面７０をディスプレイ２３に表示する。
図６に示すように、ＡＳＰ報酬一覧画面７０には、図４にアフィリエイトサービスを提供するプロバイダの複数のＡＳＰについて、そのＡＳＰにおいてユーザが得た報酬に関する情報が表示されている。
各ＡＳＰについてのユーザが得た報酬を示す項目としては、例えば、それぞれの「当月売上」、「先月売上」、「累積売上」等がある。
また、更新時に報酬が上がっている項目の色を変えて表示するようにしてもよい。
また、売上等の表示は、各ＡＳＰ毎に異なってもよい。また、例えば、報酬額を円あるいはドルで表示する。
【００２４】
［ユーザが保有する各サイトのアクセス解析］
ユーザは、画面上の「アクセス解析」をクリックすることで、図７に示すアクセス解析画面８０をディスプレイ２３に表示する。
アクセス解析画面８０には、図７に示すように、ユーザが保有・管理するサイトの各々について、そのサイトへのアクセス数等が表示される。
ユーザは、アクセス解析画面８０を基に、アクセス数が低いサイトの構成を見直すと共に、アクセス数が高いサイトの成功要因を分析して、その後のサイト構築に役立てることができる。
【００２５】
以下、アフィリエイト管理プログラムＰＲＧを基にしたアフィリエイト管理装置１０の処理を例示する。
［初期設定］
ユーザは、アフィリエイト管理装置１０の操作部２５を操作して、ネットワーク９を介してプログラム提供サーバ６にアクセスを行う。
そして、アフィリエイト管理装置１０は、プログラム提供サーバ６からアフィリエイト管理プログラムＰＲＧをダウンロードしてインストールする。
なお、インストールしたアフィリエイト管理プログラムＰＲＧは、１年間等の所定の期間を指定してライセンスされる。なお、期間を指定しないで購入するようにしてもよい。
これにより、アフィリエイト管理プログラムＰＲＧが図３に示すＨＤＤ２７に書き込まれる。
プログラム提供サーバ６は、例えば、アフィリエイト管理プログラムＰＲＧの使用方法、バージョンアップ情報等の各種サポート情報を提供する機能も有している。
【００２６】
［ＡＳＰ報酬一覧画面を表示する処理］
アフィリエイト管理装置１０のＣＰＵ３１は、アフィリエイト管理プログラムＰＲＧを基に、予め設定された時間サイクルで、登録された全てのＡＳＰサーバ４−１〜４−ｎに対して順次、ログイン要求を出してログインを行う。
このとき、アフィリエイト管理装置１０のＣＰＵ３１は、予め図４に示すＡＳＰ登録画面で指定および入力されたユーザ名およびパスワードをメモリ２９等から読み出して、これを用いたログイン要求を行う。
このログイン動作は、予め設定された情報に基づいて、ユーザからの指示なしに、自動的に行われる。
【００２７】
そして、ログインされたＡＳＰサーバ４−１〜４−ｎから、そのユーザ名に対応したアフィリエイト報酬データが、ネットワーク９を介してアフィリエイト管理装置１０に送信される。
アフィリエイト管理装置１０は、インタフェース２１を介してアフィリエイト報酬データを受信して、ＨＤＤ２７等に書き込む。
アフィリエイト管理装置１０のＣＰＵ３１は、画面上で「アフィリ管理」のアイコンが指定されると、ＨＤＤ２７からアフィリエイト報酬データを読み出し、そのなかから、ＡＳＰ報酬一覧画面７０に表示するデータ、並びに当該表示するデータを生成するために用いるデータを抽出する。
【００２８】
そして、ＣＰＵ３１は、ユーザが登録した複数のＡＳＰの各々について、そのＡＳＰで当該ユーザが得た報酬に関する情報を示すＡＳＰ報酬一覧画面データを生成し、それに応じた図６に示す画面をディスプレイ２３に表示する。
ここで、図６に示す画面には、ユーザが未登録のＡＳＰに関する情報も、各項目を「０」あるいは未記入にして表示してもよい。このような表示は、ユーザが新たなＡＳＰにもアフィリエイターとして登録する動機付けとなる。
【００２９】
［各サイトのアクセス解析結果を表示する処理］
ユーザが操作部２５を操作して、ディスプレイ２３の画面上で「アクセス解析」のアイコンを指定すると、ＣＰＵ３１は、予め登録されたアクセス解析サーバのユーザ名およびパスワードをメモリ２９等から読み出して、これを用いたログイン要求をアクセス解析サーバに送信する。
そして、ログインされたアクセス解析サーバから、ユーザのサイトＡ〜Ｆのアクセス解析データをインタフェース２１が受信して、メモリ２９に書き込む。
そして、ＣＰＵ３１は、メモリ２９に書き込まれた上記アクセス解析データを基に、図７に示すように、ユーザが保有・管理するサイトの各々へのアクセス数等を示すアクセス解析画面８０をディスプレイ２３に表示する。
【００３０】
以上説明したように、本実施形態のアフィリエイト管理プログラムＰＲＧでは、複数のＡＳＰサーバ４−１〜４−ｎにユーザが登録している場合に、各ＡＳＰサーバ毎にユーザがＩＤおよびパスワードを指定したログイン要求をすることなく、予め設定された情報に基づいて、自動的にログインを行うアフィリエイト報酬データが取得される。そのため、アフィリエイト報酬データの取得に伴うユーザの操作負担を大幅に軽減できる。
【００３１】
また、本実施形態のアフィリエイト管理プログラムＰＲＧによれば、複数のＡＳＰサーバ４−１〜４−ｎからのアフィリエイト報酬データを図６に示すように、１画面に一覧として一括表示できるため、それらを一元管理できると共に、比較が容易になる。
【００３２】
また、上述したように、図６に示す画面に、ユーザが未登録のＡＳＰに関する情報も、各項目を「０」あるいは未記入にして表示することで、ユーザが新たなＡＳＰにもアフィリエイターとして登録する動機付けとなる。そして、このようにＡＳＰを表示することで、広告収入が得られる可能性もある。
【００３３】
また、本実施形態のアフィリエイト管理プログラムＰＲＧでは、図４を用いて説明したように、アフィリエイト管理プログラムＰＲＧがサポートしている複数のＡＳＰのＵＲＬ等の基本情報は予め登録されており、ボックス５０内の「プログラム」の項目において、ユーザがＡＳＰの名前を選択するだけで、基本情報の入力は不要である。そのため、ユーザの作業負担が軽減される。
【００３４】
また、本実施形態のアフィリエイト管理プログラムＰＲＧでは、図７に示すように、アクセス解析画面を表示することで、ユーザが保有・管理するサイトの各々について、そのサイトを介して得たアリフィエイトの報酬額が表示される。そのため、ユーザは、アクセス解析画面を基に、報酬額が低いサイトの構成を見直すと共に、報酬額が高いサイトの成功要因を分析して、その後のサイト構築に役立てることができる。
アクセスが伸びているサイト、下がってきているサイト。自分がつくったサイトが今どのような状態なのかを把握するのは、アフィリエイトの成果を伸ばすのに大事である。本実施形態のアフィリエイト管理プログラムＰＲＧによれば、アクセスが下がってきたらすぐに対策ができ、その後の成果も分かり、徐々にアフィリエイトの成果を上げる方法を理解できて、アフィリエイト報酬がアップすることが期待される。
【００３５】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、図７に示すように、アフィリエイターの各サイトＡ〜Ｆのアクセス状況の一覧を表示するようにしたが、ＡＳＰサーバ４−１〜４−ｎからのアフィリエイタ報酬データを基に各サイトＡ〜Ｆを介したアフィリエイト報酬を個別に特定できる場合に、それらを一覧として表示してもよい。
【００３６】
また、上述した実施形態では、アフィリエイト管理プログラムＰＲＧをアフィリエイト管理装置１０で実行する場合を例示したが、携帯電話等の携帯端末装置で実行してもよい。
【産業上の利用可能性】
【００３７】
本考案は、アフィリエイト報酬等を管理するシステムに適用可能である。
【図面の簡単な説明】
【００３８】
【図１】本考案の実施形態に係るネットワークシステムの全体構成図である。
【図２】図２は、図１に示すアフィリエイト管理装置の機能ブロック図である。
【図３】図１に示すアフィリエイト管理装置の構成図である。
【図４】ＡＳＰサーバの登録画面を説明するための図である。
【図５】アフィリ管理全般の設定画面を説明するための図である。
【図６】ＡＳＰ報酬一覧を示す画面を説明するための図である。
【図７】複数のサイトのアクセス解析画面を説明するための図である。
【符号の説明】
【００３９】
１…ネットワークシステム、
４−１〜４−ｎ…ＡＳＰサーバ、
６…プログラム提供サーバ、
９…ネットワーク
１０…アフィリエイト管理装置
２１…インタフェース
２３…ディスプレイ
２５…操作部
２７…ＨＤＤ
２９…メモリ
３１…ＣＰＵ
５０…「アフィリ管理のアカウント設定」のボックス
６０…「アフィリ管理全般の設定」のボックス
７０…ＡＳＰ報酬一覧画面
８０…アクセス解析画面
ＰＲＧ…アフィリエイト管理プログラム
【図１】
0003192591.tif 000003
【図２】
0003192591.tif 000004
【図３】
0003192591.tif 000005
【図４】
0003192591.tif 000006
【図５】
0003192591.tif 000007
【図６】
0003192591.tif 000008
【図７】
0003192591.tif 000009